(57)【要約】【課題】  導体配線部のピッチを容易に縮小化させ、かつフラットパネル基板の接合部における絶縁性を確保し、また折り曲げ強度を向上させたフィルム基板およびその製造方法を提供することを目的とする。【解決手段】  フィルム基材１と、フィルム基材１上に形成された導体配線２３からなるフィルム基板ＦＢにおいて、導体配線２３におけるフィルム基板上の外部接続部４の導体配線厚を、他の箇所の導体配線部（折り曲げ部）２５の導体配線厚より厚く形成する。この構成によれば、フィルム基板上の外部接続部４は導体配線厚が厚いため、フラットパネル基板等との接合部において間隔を十分に確保でき、よって前記接合部の絶縁性を確保でき、また折り曲げ部２５は導体配線厚が薄いため、配線ピッチを小さくまたは折り曲げ強度を確保できる。【選択図】      図１
2005252227.tif 000002
【特許請求の範囲】
【請求項１】
半導体素子が搭載されるフィルム基板であって、
フィルム基材と、
前記フィルム基材上に形成された前記半導体素子と接続される導体配線
からなり、
少なくとも前記導体配線におけるフィルム基板上外部接続部の導体配線厚が、他の箇所の導体配線部の導体配線厚より厚く形成されていること
を特徴とするフィルム基板。
【請求項２】
前記導体配線において前記半導体素子との接続部の導体配線厚が、前記フィルム基板上外部接続部とともに、他の箇所の導体配線部の導体配線厚より厚く形成されていること
を特徴とする請求項１に記載のフィルム基板。
【請求項３】
前記フィルム基材には、フィルム基板を搬送するための複数のフィルム搬送用フィルム孔が設けられており、
前記各フィルム搬送用フィルム孔は補強用導体により補強され、この補強用導体厚が、前記導体配線における前記フィルム基板上外部接続部と同様に、他の箇所の導体配線部の導体配線厚より厚く形成されていること
を特徴とする請求項１または請求項２に記載のフィルム基板。
【請求項４】
前記フィルム基材に形成された前記導体配線上で、画像表示用基板へ実装されるときに折り曲げられる折り曲げ部が、絶縁膜で覆われていること
を特徴とする請求項１〜請求項３のいずれか１項に記載のフィルム基板。
【請求項５】
前記フィルム基板上外部接続部において、前記導体配線厚が厚く形成されている領域が、実際に外部に接続される外部接続領域より大きく形成され、この外部接続領域以外の領域が、前記絶縁膜で覆われていること
を特徴とする請求項４に記載のフィルム基板。
【請求項６】
前記導体配線における前記半導体素子との接続部および前記フィルム基板上外部接続部以外の領域が、前記半導体素子との接続部および前記フィルム基板上外部接続部の厚さより薄い絶縁膜で覆われていること
を特徴とする請求項１〜請求項３のいずれか１項に記載のフィルム基板。
【請求項７】
半導体素子が接続される導体配線が形成されたフィルム基材を使用するフィルム基板の製造方法であって、
前記導体配線が形成されたフィルム基材面上にフォトレジストを形成し、
次に、フィルム基板上外部接続部位置に、前記フォトレジストに開口部を形成して前記導体配線の一部を露出させ、
次に、金属めっきを施すことにより前記フォトレジストの開口部における導体配線上にさらに導体配線を形成し、
次に、前記フォトレジストを除去すること
を特徴とするフィルム基板の製造方法。
【請求項８】
前記フォトレジストに開口部を形成するとき、前記半導体素子との接続部位置も開口し、金属めっきを施すことにより半導体素子との接続部にさらに導体配線を形成すること
を特徴とする請求項７に記載のフィルム基板の製造方法。
【請求項９】
前記フォトレジストを除去するとき、全てのフォトレジストを除去せずに、金めっきを施した前記フィルム基板上外部接続部および前記半導体素子との接続部の厚さより薄くフォトレジストを残すこと
を特徴とする請求項８に記載のフィルム基板の製造方法。
【請求項１０】
前記フィルム基材には、フィルム搬送用フィルム孔の補強用導体が配置されており、
前記フォトレジストに開口部を形成するとき、前記補強用導体部位置も開口し、金属めっきを施すことにより補強用導体部にさらに導体を形成すること
を特徴とする請求項７〜請求項９のいずれか１項に記載のフィルム基板の製造方法。
【請求項１１】
少なくとも片面全面が下地金属で覆われたフィルム基材を使用して半導体素子が搭載されるフィルム基板を製造する方法であって、
前記下地金属の設けられたフィルム基材面上に第１のフォトレジストを形成し、
次に、前記第１のフォトレジストに開口部を形成して前記下地金属を一部露出し、
次に、金属めっきを施すことにより前記第１のフォトレジストの開口部に第１の導体配線を形成し、
続いて、この第１の導体配線の設けられた面上に前記第２のフォトレジストを形成し、
次に、フィルム基板上外部接続部位置に、前記第２のフォトレジストに開口部を形成して前記第１の導体配線の一部を露出させ、
次に、金属めっきを施すことにより前記第２のフォトレジストの開口部における前記第１の導体配線上に第２の導体配線を形成し、
続いて、前記第１のフォトレジストおよび前記第２のフォトレジストを除去し、
次に、エッチングにより前記第１の導体配線間の前記下地金属を除去し、前記第１の導体配線をそれぞれ電気的に分離すること
を特徴とするフィルム基板の製造方法。
【請求項１２】
前記第２のフォトレジストに開口部を形成するとき、前記半導体素子との接続部位置も開口し、金属めっきを施すことにより半導体素子との接続部の第１の導体配線上に第２の導体配線を形成すること
を特徴とする請求項１１に記載のフィルム基板の製造方法。
【請求項１３】
前記第１のフォトレジストに開口部を形成するとき、フィルム搬送用フィルム孔の補強用導体部位置も開口し、金属めっきを施すことにより前記補強用導体部位置に導体を形成し、
前記第２のフォトレジストに開口部を形成するとき、前記補強用導体部位置も開口し、金属めっきを施すことにより補強用導体部位置にさらに導体を形成すること
を特徴とする請求項１１または請求項１２に記載のフィルム基板の製造方法。
【請求項１４】
少なくとも片面全面が第１の導体で覆われたフィルム基材を使用して半導体素子が搭載されるフィルム基板を製造する方法であって、
前記第１の導体の設けられたフィルム基材面上に第１のフォトレジストを形成し、
次に、半導体素子が接続される導体配線におけるフィルム基板上外部接続部位置に、前記第１のフォトレジストに開口部を形成して、前記第１の導体の一部を露出させ、
次に、金属めっきを施すことにより前記第１のフォトレジストの開口部における第１の導体上に第２の導体を形成し、
次に、前記第１のフォトレジストを除去し、
続いて、前記第２の導体の設けられた面上に第２のフォトレジストを形成し、
次に、前記半導体素子が接続される導体配線以外の位置に、前記第２のフォトレジストに開口部を形成し、
次に、前記第２のフォトレジストの開口部の前記第１の導体および前記第２の導体をエッチングすることにより前記導体配線を形成し、
前記第２のフォトレジストを除去すること
を特徴とするフィルム基板の製造方法。
【請求項１５】
前記第１のフォトレジストに開口部を形成するとき、前記導体配線における半導体素子の接続部位置も開口し、
金属めっきを施すことにより前記半導体素子との接続部の第１の導体上に第２の導体を形成すること
を特徴とする請求項１４に記載のフィルム基板の製造方法。
【請求項１６】
前記第１のフォトレジストに開口部を形成するとき、フィルム搬送用フィルム孔の補強用導体部位置も開口し、金属めっきを施すことにより前記補強用導体部位置の第１の導体上に第２の導体を形成すること
を特徴とする請求項１４または請求項１５に記載のフィルム基板の製造方法。
【請求項１７】
半導体素子が搭載された請求項１〜請求項６のいずれか１項に記載のフィルム基板が接続されていること
を特徴とする画像表示用基板。
【発明の詳細な説明】
【技術分野】
【０００１】
本発明は、画像表示用フラットパネルに実装されるフィルム基板、特にフィルム基板の導体配線の構造、およびその製造方法に関するものである。
【背景技術】
【０００２】
画像表示用フラットパネルに実装される半導体パッケージ形態の一つとして、テープキャリアパッケージがあり、駆動用ドライバーとして主に使用されている。また、テープキャリアパッケージの中で特にフィルム基材における半導体素子搭載部にフィルム基材の孔が開いていない形態のものは、ＣＯＦ（Chip On Film；基板に薄型のフィルムを用い、バンプでチップとフィルム基板上の回路とを電気的に接続した実装構造）として知られている。
【０００３】
図６に従来のＣＯＦの構造の一例を示す。図６（ａ）はＣＯＦの一部を示す平面図、図６（ｂ）は図６（ａ）のＸ−Ｘ’に対応する位置における断面図を示している。
図６において、２６がフィルム基板であり、このフィルム基板２６は、主たる要素として、柔軟な絶縁性のフィルム基材１とそのフィルム基材１の面上に形成された導体配線部２３から形成されており、また導体配線部２３において他の部品が接続されず折り曲げ可能な部分（折り曲げ部）２５にソルダーレジスト１１が形成されている。前記導体配線部２３に、搭載する半導体素子１３の電極パッド２４が接続される。
【０００４】
またフィルム基材１のフィルム基板２６の搬送方向（Ｘ−Ｘ’方向）に並行な両端部にはそれぞれ、フィルム基板２６を搬送するためのフィルム搬送用フィルム孔３１が一列に配置されており、これらフィルム搬送用フィルム孔３１の周りには孔３１の強度を補強するために導体３２からなる補強用導体部３３が形成されている。
【０００５】
また導体配線部２３および補強用導体部３３を形成する方法として、フィルム基材１上に形成された金属箔をエッチングすることにより形成する方法と、フィルム基材１上に金属めっき法により直接配線を形成する方法の２通りがよく知られている。
【０００６】
ＣＯＦでは、このフィルム基板２６の導体配線部２３と半導体素子１３上の電極パッド２４が突起電極１４を介して接続され、封止樹脂１２により保護された構造としている。なお、突起電極１４は必要に応じて導体配線部２３上に形成される場合と半導体素子１３上の電極パッド２４上に形成される場合がある。ここで各材料の厚さとしては、フィルム基材１上の導体配線２３は６μｍ〜２５μｍ、突起電極１４は５μｍ〜２０μｍが一般的である。
【０００７】
またこのＣＯＦの外部接続部（パネルとの接続部）４を、画像表示用フラットパネル基板上の電極部に実装する工程を図７（ａ），（ｂ）に順に示す。図７は図６（ａ）におけるＹ−Ｙ′の位置に対応する断面図である。またＣＯＦが画像表示用フラットパネル基板に実装された形態を図８に示す。
【０００８】
まず図７（ａ）に示すように、ＡＣＦ（Anisotropic  conductive film）と一般的に言われる絶縁樹脂１８中に導電粒子１７を含んだフィルム（ＡＣＦ）１９を、ＣＯＦのフィルム基材１上のフィルム基板上外部接続部４（図６）と画像表示用フラットパネル基板（画像表示用基板の一例）１６の電極１５との間に挟み、熱と圧力により導電粒子１７を介して、図７（ｂ）に示すようにＣＯＦのフィルム基板上外部接続部４と画像表示用フラットパネル基板１６の電極部１５を電気的に接続させる。そして、ＣＯＦは、図８に示すように、他の部品と接続されない折り曲げ部２５にてパネル基板１６の外形に沿って折り曲げられた形態とされる。図８において、２０はプリント基板、２１はこのプリント基板２０の電極であり、プリント基板２０の電極２１が図６に図示していない他方のフィルム基板上外部接続部４とＡＣＦ１９により電気的に接続されている。
【０００９】
なお、ＡＣＦ１９を用いた、ＣＯＦのパネルとの接続部４と画像表示用フラットパネル基板１６上の電極部１５の接続方法は、例えば特許文献１に示すように公知の技術である。
【特許文献１】特開２００２−２２３０５２号公報
【発明の開示】
【発明が解決しようとする課題】
【００１０】
近年、画像表示用フラットパネル１５の高精細化による半導体素子１３の多出力端子化、または半導体素子１３のサイズ縮小化に伴い、ＣＯＦのフィルム基板２６における半導体素子１３の搭載部とその近傍の導体配線部２３のピッチは年々小さくなる傾向にあり、導体配線部２３のピッチの縮小化が望まれている。ここで導体配線部２３のピッチの縮小化を実現するには、上記２つの方法、すなわち導体配線部２３を、前記フィルム基材１上金属箔をエッチングすることにより形成する方法と、フィルム基材１上に金属めっき法により直接形成する方法のいずれの方法においても、導体配線部２３の厚さを薄くした方が有利である。しかし、導体配線部２３の厚さを薄くした場合には、画像表示用フラットパネル基板１６との接合部においてフィルム基材１と画像表示用フラットパネル基板１６の間隔が小さくなることにより、ＡＣＦ１９中の導電粒子１７の密度が高くなり、電極１５間あるいは導体配線部２３間の短絡不良が発生しやすくなる。図９は図７（ｂ）に示すＣＯＦが画像表示用フラットパネル基板１６に実装された状態において、電極１５間と導体配線部２３間に短絡が発生した場合を示している。
【００１１】
また図１０は図８における囲み部Ａの拡大図を示している。図１０に示すようにフィルム基板２６の折り曲げ部２５の厚さが厚い場合には、導体配線部２３の曲率半径２７が大きくなり導体配線部２３が断線しやすくなる。
【００１２】
そこで、本発明は、導体配線部のピッチを縮小化でき、かつフラットパネル基板との接合部における絶縁性を確保し、また折り曲げ強度を向上させたフィルム基板およびその製造方法を提供することを目的としたものである。
【課題を解決するための手段】
【００１３】
前述した目的を達成するために、本発明のうち請求項１に記載の発明は、半導体素子が搭載されるフィルム基板であって、フィルム基材と、前記フィルム基材上に形成された前記半導体素子が接続される導体配線からなり、少なくとも前記導体配線におけるフィルム基板上外部接続部の導体配線厚が、他の箇所の導体配線部の導体配線厚より厚く形成されていることを特徴とするものである。
【００１４】
上記構成によれば、フィルム基板上外部接続部の導体配線厚が、他の箇所の導体配線部の導体配線厚より厚いことにより、フィルム基板上外部接続部を、ＡＣＦによりたとえばフラットパネル基板の電極と接合するとき、ＡＣＦ中の導電粒子の密度が小さくなり、電極間あるいは導体配線間の短絡不良が発生しにくくなり、電極間および導体配線間の絶縁性が確保される。また他の箇所の導体配線部の導体配線厚を薄くすることが可能となり、厚い場合と比較して同じ導体配線部の曲率半径を小さくすることができ、折り曲げ強度を向上させることが可能となる。
【００１５】
また請求項２に記載の発明は、請求項１に記載の発明であって、前記導体配線において前記半導体素子との接続部の導体配線厚が、前記フィルム基板上外部接続部とともに、他の箇所の導体配線部の導体配線厚より厚く形成されていることを特徴とするものである。
【００１６】
上記構成によれば、半導体素子との接続部の導体配線厚が、フィルム基板上外部接続部とともに、他の箇所の導体配線部の導体配線厚より厚くなる。この厚い部分は突起電極の代わりを果たすことができ、半導体素子側に突起電極を形成する工程を省くことができる。
【００１７】
また請求項３に記載の発明は、請求項１または請求項２に記載の発明であって、前記フィルム基材には、フィルム基板を搬送するための複数のフィルム搬送用フィルム孔が設けられており、前記各フィルム搬送用フィルム孔は補強用導体により補強され、この補強用導体厚が、前記導体配線における前記フィルム基板上外部接続部と同様に、他の箇所の導体配線部の導体配線厚より厚く形成されていることを特徴とするものである。
【００１８】
上記構成によれば、補強用導体厚を、フィルム基板上外部接続部の導体配線厚と同様に、他の箇所の導体配線部（折り曲げ部）の導体配線厚より厚くしていることから、フィルム基板を搬送するためのフィルム搬送用フィルム孔の強度をさらに増すことができ、また折り曲げ部より厚いことから、フィルム搬送時のフィルム孔の強度が高く安定した生産が可能となる。
【００１９】
また請求項４に記載の発明は、請求項１〜請求項３のいずれか１項に記載の発明であって、前記フィルム基材に形成された前記導体配線上で、画像表示用基板へ実装されるときに折り曲げられる折り曲げ部が、絶縁膜で覆われていることを特徴とするものである。
【００２０】
上記構成によれば、折り曲げ部の強度をさらに向上することができる。
また請求項５に記載の発明は、請求項４に記載の発明であって、前記フィルム基板上外部接続部において、前記導体配線厚が厚く形成されている領域が、実際に外部に接続される外部接続領域より大きく形成され、この外部接続領域以外の領域が、前記絶縁膜で覆われていることを特徴とするものである。
【００２１】
上記構成によれば、フィルム基板上外部接続部において導体配線厚が厚く形成されている領域が、絶縁膜で補強されているため、フィルム基板の実装時またはその後に導体配線厚の変化部に集中する応力を緩和し、十分な強度を確保することができる。
【００２２】
また請求項６に記載の発明は、請求項１〜請求項３のいずれか１項に記載の発明であって、前記導体配線における前記半導体素子との接続部および前記フィルム基板上外部接続部以外の領域が、前記半導体素子との接続部および前記フィルム基板上外部接続部の厚さより薄い絶縁膜で覆われていることを特徴とするものである。
【００２３】
上記構成によれば、絶縁膜は、導体配線における半導体素子との接続部およびフィルム基板上外部接続部以外の領域の強度を確保することができ、また半導体素子との接続部および前記フィルム基板上外部接続部の厚さより薄くしたことにより、画像表示用フラットパネル基板への接合時、または半導体素子との接続時に絶縁膜の反発力の影響を受けずに信頼性の高い接合・接続を実現できる。
【００２４】
また請求項７に記載の発明は、半導体素子が接続される導体配線が形成されたフィルム基材を使用するフィルム基板の製造方法であって、前記導体配線が形成されたフィルム基材面上にフォトレジストを形成し、次に、フィルム基板上外部接続部位置に、前記フォトレジストに開口部を形成して前記導体配線の一部を露出させ、次に、金属めっきを施すことにより前記フォトレジストの開口部における導体配線上にさらに導体配線を形成し、次に、前記フォトレジストを除去することを特徴とするものである。
【００２５】
上記方法によれば、フィルム基板上外部接続部では、導体配線上にさらに導体配線が形成され、フィルム基板上外部接続部の導体配線厚が、他の箇所の導体配線部の導体配線厚より厚くなる。
【００２６】
また請求項８に記載の発明は、請求項７に記載の発明であって、前記フォトレジストに開口部を形成するとき、前記半導体素子との接続部位置も開口し、金属めっきを施すことにより半導体素子との接続部にさらに導体配線を形成することを特徴とするものである。
【００２７】
上記方法によれば、半導体素子との接続部において、フィルム基板上外部接続部とともに、導体配線上にさらに導体配線が形成され、半導体素子との接続部の導体配線厚が他の箇所の導体配線部の導体配線厚より厚くなる。
【００２８】
また請求項９に記載の発明は、請求項８に記載の発明であって、前記フォトレジストを除去するとき、全てのフォトレジストを除去せずに、金めっきを施した前記フィルム基板上外部接続部および前記半導体素子との接続部の厚さより薄くフォトレジストを残すことを特徴とするものである。
【００２９】
上記方法によれば、フォトレジストにより、フィルム基板の実装時またはその後に導体配線厚の変化部に集中する応力を緩和し、強度を確保することができ、また半導体素子との接続部およびフィルム基板上外部接続部の厚さより薄くしたことにより、画像表示用フラットパネル基板への接合時、または半導体素子との接続時にフォトレジストの反発力の影響を受けずに信頼性の高い接合・接続を実現できる。
【００３０】
また請求項１０に記載の発明は、請求項７〜請求項９のいずれか１項に記載の発明であって、前記フィルム基材には、フィルム搬送用フィルム孔の補強用導体が配置されており、前記フォトレジストに開口部を形成するとき、前記補強用導体部位置も開口し、金属めっきを施すことにより補強用導体部にさらに導体を形成することを特徴とするものである。
【００３１】
上記方法によれば、補強用導体部にさらに導体を形成することにより、フィルム基板を搬送するためのフィルム搬送用フィルム孔の強度をさらに増すことができ、また半導体素子との接続部およびフィルム基板上外部接続部以外の箇所より厚くなることから、フィルム搬送時のフィルム孔の強度が高く安定した生産が可能となる。
【００３２】
また請求項１１に記載の発明は、少なくとも片面全面が下地金属で覆われたフィルム基材を使用して半導体素子が搭載されるフィルム基板を製造する方法であって、前記下地金属の設けられたフィルム基材面上に第１のフォトレジストを形成し、次に、前記第１のフォトレジストに開口部を形成して前記下地金属を一部露出し、次に、金属めっきを施すことにより前記第１のフォトレジストの開口部に第１の導体配線を形成し、続いて、この第１の導体配線の設けられた面上に前記第２のフォトレジストを形成し、次に、フィルム基板上外部接続部位置に、前記第２のフォトレジストに開口部を形成して前記第１の導体配線の一部を露出させ、次に、金属めっきを施すことにより前記第２のフォトレジストの開口部における前記第１の導体配線上に第２の導体配線を形成し、続いて、前記第１のフォトレジストおよび前記第２のフォトレジストを除去し、次に、エッチングにより前記第１の導体配線間の前記下地金属を除去し、前記第１の導体配線をそれぞれ電気的に分離することを特徴とするものである。
【００３３】
上記方法によれば、少なくとも片面全面が下地金属で覆われたフィルム基材を使用して、搭載する半導体素子の回路を形成する第１の導体配線が形成され、さらにフィルム基板上外部接続部では、第１の導体配線上に第２の導体配線が形成され、フィルム基板上外部接続部の導体配線厚が、他の箇所の導体配線部の導体配線厚より厚くなる。
【００３４】
また請求項１２に記載の発明は、請求項１１に記載の発明であって、前記第２のフォトレジストに開口部を形成するとき、前記半導体素子との接続部位置も開口し、金属めっきを施すことにより半導体素子との接続部の第１の導体配線上に第２の導体配線を形成することを特徴とするものである。
【００３５】
上記方法によれば、半導体素子との接続部の第１の導体配線上に第２の導体配線が形成され、半導体素子との接続部の導体配線厚が、他の箇所の導体配線部の導体配線厚より厚くなる。
【００３６】
また請求項１３に記載の発明は、請求項１１または請求項１２に記載の発明であって、前記第１のフォトレジストに開口部を形成するとき、フィルム搬送用フィルム孔の補強用導体部位置も開口し、金属めっきを施すことにより前記補強用導体部位置に導体を形成し、前記第２のフォトレジストに開口部を形成するとき、前記補強用導体部位置も開口し、金属めっきを施すことにより補強用導体部位置にさらに導体を形成することを特徴とするものである。
【００３７】
上記方法によれば、フィルム搬送用フィルム孔の補強用導体部位置に導体を形成し、さらにこの導体上に導体を形成することにより、フィルム基板を搬送するためのフィルム搬送用フィルム孔の強度を増すことができ、また半導体素子との接続部およびフィルム基板上外部接続部以外の箇所より厚くなることから、フィルム搬送時のフィルム孔の強度が高く安定した生産が可能となる。
【００３８】
また請求項１４に記載の発明は、少なくとも片面全面が第１の導体で覆われたフィルム基材を使用して半導体素子が搭載されるフィルム基板を製造する方法であって、前記第１の導体の設けられたフィルム基材面上に第１のフォトレジストを形成し、次に、搭載する半導体素子の導体配線におけるフィルム基板上外部接続部位置に、前記第１のフォトレジストに開口部を形成して、前記第１の導体の一部を露出させ、次に、金属めっきを施すことにより前記第１のフォトレジストの開口部における第１の導体上に第２の導体を形成し、次に、前記第１のフォトレジストを除去し、続いて、前記第２の導体の設けられた面上に第２のフォトレジストを形成し、次に、前記半導体素子が接続される導体配線以外の位置に、前記第２のフォトレジストに開口部を形成し、次に、前記第２のフォトレジストの開口部の前記第１の導体および前記第２の導体をエッチングすることにより前記導体配線を形成し、前記第２のフォトレジストを除去することを特徴とするものである。
【００３９】
上記方法によれば、少なくとも片面全面が第１の導体で覆われたフィルム基材を使用して、第１の導体により半導体素子の導体配線が形成され、さらにフィルム基板上外部接続部では、第１の導体配線上に第２の導体配線が形成され、フィルム基板上外部接続部の導体配線厚が、他の箇所の導体配線部の導体配線厚より厚くなる。
【００４０】
また請求項１５に記載の発明は、請求項１４に記載の発明であって、前記第１のフォトレジストに開口部を形成するとき、前記導体配線における半導体素子の接続部位置も開口し、金属めっきを施すことにより前記半導体素子との接続部の第１の導体上に第２の導体を形成することを特徴とするものである。
【００４１】
上記方法によれば、半導体素子との接続部の第１の導体配線上に第２の導体配線が形成され、半導体素子との接続部の導体配線厚が、他の箇所の導体配線部の導体配線厚より厚くなる。
【００４２】
また請求項１６に記載の発明は、請求項１４または請求項１５に記載の発明であって、前記第１のフォトレジストに開口部を形成するとき、フィルム搬送用フィルム孔の補強用導体部位置も開口し、金属めっきを施すことにより前記補強用導体部位置の第１の導体上に第２の導体を形成することを特徴とするものである。
【００４３】
上記方法によれば、フィルム搬送用フィルム孔の補強用導体部位置の第１の導体上にさらに第２の導体を形成することにより、フィルム基板を搬送するためのフィルム搬送用フィルム孔の強度を増すことができ、また半導体素子との接続部およびフィルム基板上外部接続部以外の箇所より厚くなることから、フィルム搬送時のフィルム孔の強度が高く安定した生産が可能となる。
【００４４】
また請求項１７に記載の発明は、画像表示用基板であって、半導体素子が搭載された請求項１〜請求項６のいずれか１項に記載のフィルム基板が接続されていることを特徴とするものである。
【００４５】
上記構成によれば、フィルム基板と画像表示用基板との間隔を十分に確保できるため絶縁性が確保され、またフィルム基板上外部接続部の他の箇所の導体配線部の導体配線厚が薄いため折り曲げ強度を確保した信頼性の高い画像表示装置が実現される。
【発明の効果】
【００４６】
本発明のフィルム基板は、フィルム基板上外部接続部の導体配線厚を、他の箇所の導体配線部の導体配線厚よりも厚くすることにより、フィルム基板上外部接続部を、ＡＣＦによりたとえばフラットパネル基板の電極と接合するとき、ＡＣＦ中の導電粒子の密度が小さくなり、電極間あるいはフィルム基板上外部接続部（導体配線部）間の短絡不良が発生しにくくなり、電極間あるいはフィルム基板上外部接続部間の絶縁性を確保できる。また他の箇所の導体配線部の導体配線厚を薄くすることにより、厚い場合と比較して同じ導体配線部の配線ピッチを縮小させることができる。
【発明を実施するための最良の形態】
【００４７】
以下、本発明の実施の形態を、図面を参照しながら説明する。なお、図６に示す従来のフィルム基板と同一の構成には、同一の符号を付して説明を省略する。
図１は本発明の実施の形態におけるフィルム基板の一部を示す断面図である。
【００４８】
図１において、ＦＢは、半導体素子１３が搭載されるフィルム基板であり、このフィルム基板ＦＢは、フィルム基材１と、フィルム基材１上に形成された半導体素子１３が接続される導体配線２３からなり、導体配線２３において半導体素子１３の周辺等部品が接続されない部分で、また折り曲げ可能でもある部分（以下、これら部分を「折り曲げ部」と称す）２５の導体配線厚を薄くし、導体配線２３において、たとえばフラットパネル基板の電極と接合されるフィルム基板上外部接続部４および半導体素子１３が接続される半導体素子１３との接続部（搭載部）５の導体配線厚を、前記折り曲げ部２５の導体配線厚よりも厚くしている。また前記導体配線２３は、後述する第１の導体配線２、または第１の導体配線２および第２の導体配線３から形成されている。また補強用導体部３３における補強用導体厚を、フィルム基板上外部接続部４および半導体素子１３との接続部５の導体配線厚と同様に、他の箇所の導体配線部（前記折り曲げ部２５）の導体配線厚より厚くしている。
【００４９】
上記構成により、導体配線２３のピッチが小さい半導体素子１３を搭載するフィルム基板ＦＢを形成するとき、半導体素子１３の接続部５の周辺（折り曲げ部２５）は導体配線厚が薄いため、導体配線２３の形成がしやすくなり、また外部接続部４は導体配線厚が厚いため、ＡＣＦを用いて接合するとき、接合部におけるフィルム基材１と画像表示用フラットパネル基板１６の間隔を十分に確保でき、よってＡＣＦ中の導電粒子の密度が小さくなり、接合部での短絡が発生しづらくなり、絶縁性を確保できる。また折り曲げ部２５は導体配線厚が薄いため折り曲げ強度を確保することができる。ここで導体配線の厚さとしては、例えばフラットパネル基板とのフィルム基板上外部接続部４が６μｍ〜１５μｍ、他のどの部品とも接続されない折り曲げ部２５が４μｍ〜１０μｍであれば上記発明の効果を満足することが実験等により分かっている。なお、ここで、フィルム基板上外部接続部４と他のどの部品とも接続されない折り曲げ部２５の適用範囲が重なるが、これは各導体配線部において、導体配線のピッチにより最適な導体配線厚範囲が異なるためである。
【００５０】
このように、導体配線２３のピッチを縮小化させつつ、画像表示用フラットパネル基板（画像表示用基板）１６との接合部における間隔を十分確保することが可能となるため、配線密度が高く、画像表示用フラットパネルへの実装性が良好なフィルム基板ＦＢを提供することができる。
【００５１】
また、半導体素子１３との接続部５の導体配線厚を、折り曲げ部２５の導体配線厚よりも厚くしており、この半導体素子１３との接続部５における導体配線の厚い部分は突起電極の代わりを果たすことから、半導体素子側に突起電極を形成する工程を省くことができる。ここで半導体素子との接続部５は、例えば隣接する導体配線２３よりも５μｍ〜２０μｍ導体厚方向に突出した構成であれば突起電極の代わりとして十分であることが実験等により分かっている。なお、半導体素子１３との接続部５の導体配線厚は、必ずしも折り曲げ部２５の導体配線厚よりも厚くする必要はなく（このときは突起電極を形成する工程が必要となる）、少なくともフィルム基板上外部接続部（画像表示パネルとの接続部）４の導体配線厚が、折り曲げ部２５の導体配線厚よりも厚ければよい。
【００５２】
また補強用導体部３３における補強用導体厚を、フィルム基板上外部接続部４および半導体素子１３との接続部５の導体配線厚と同様に、他の箇所の導体配線部（折り曲げ部２５）の導体配線厚より厚くしていることから、フィルム基板２６を搬送するためのフィルム搬送用フィルム孔３１の強度をさらに増すことができ、また折り曲げ部２５より厚いことから、フィルム搬送時のフィルム孔３１の強度が高く安定した生産が可能となる。
【００５３】
上記構成のフィルム基板ＦＢの製造方法を説明する。主に次の３つの製造方法がある。（第１の製造方法）
図２（ａ）〜（ｅ）は本発明におけるフィルム基板の製造方法（第１の方法）の製造工程を順に示す、フィルム基板ＦＢの一部を示す平面図、およびそのＸ−Ｘ′の位置に対応した断面図である。
【００５４】
この第１の方法では、図２（ａ）に示すように、半導体素子１３が接続される第１の導体配線２（導体配線２３）および補強用導体部３３としてフィルム搬送用フィルム孔３１の周りに補強用の導体３２（導体配線２３と同じ厚さ；以下、第１の補強用導体と称す）が形成されたフィルム基材１を使用する。
第１工程
まず、図２（ｂ）に示すように、第１の導体配線２（導体配線２３）および第１の補強用導体３２が形成されたフィルム基材１の面上にフォトレジスト６を形成する。
第２工程
続いて、図２（ｃ）に示すように、フィルム基板上外部接続部４位置および半導体素子１３との接続部５位置、さらに補強用導体部３３位置に、フォトレジスト６に開口部を形成して第１の導体配線２の一部および第１の補強用導体３２を露出させる。
第３工程
次に、図２（ｄ）に示すように、金属めっきを施すことにより、フォトレジスト６の開口部における第１の導体配線２上に第２の導体配線３を形成し、第１の補強用導体３２上に第２の補強用導体３４を形成する。
第４工程
次に、図２（ｅ１）に示すようにフォトレジスト６を除去する。
【００５５】
以上の第１の製造方法によれば、フィルム基材１上の任意の箇所の導体配線厚を調整できるため、図１に示すフィルム基板ＦＢ、すなわち導体配線２３においてフィルム基板上外部接続部４および半導体素子１３との接続部（搭載部）５の導体配線厚を、折り曲げ部２５の導体配線厚よりも厚くしたフィルム基板ＦＢを容易に作製することができる。
【００５６】
また、導体配線厚が厚い半導体素子１３との接続部５の形成工程と、導体配線厚が厚い画像表示用フラットパネルとのフィルム基板上外部接続部４の形成工程を、同一の形成工程とすることができ、工程を短縮化することができる。
【００５７】
また第１の補強用導体３２と第２の補強用導体３４から構成される、導体配線厚が厚い補強用導体部３３の形成工程と、導体配線厚が厚い画像表示用フラットパネルとのフィルム基板上外部接続部４の形成工程を、同一の形成工程とすることができ、工程を短縮化することができる。
【００５８】
尚、図示しないが、フィルム搬送用フィルム孔３１は、必ずしも第２の補強用導体３４形成前に形成されている必要はなく、第２の補強用導体３４形成後に形成されてもよい。
なお、上記第４工程では、フォトレジスト６を全て除去しているが、フォトレジスト６が折り曲げに対して十分に柔軟性を有している場合には、図２（ｅ２）に示すように、全てを除去せずに、導体配線２３における半導体素子１３との接続部５およびフィルム基板上外部接続部４以外の領域を、半導体素子１３との接続部５およびフィルム基板上外部接続部４の厚さより薄い絶縁膜（フォトレジスト６）で覆うようにしてもよい。これにより、導体配線２３における半導体素子１３との接続部５およびフィルム基板上外部接続部４以外の領域の強度を、フォトレジスト６によって確保することができ（ソルダーレジストの役割を担うことができ）、また前記のように厚さを薄くしたことにより、画像表示用フラットパネル基板１６への接合時、または半導体素子１３との接続時にフォトレジスト６の反発力の影響を受けずに信頼性の高い接合・接続を実現できる。
（第２の製造方法）
図３（ａ）〜（ｉ）は本発明におけるフィルム基板の製造方法（第２の方法）の製造工程を順に示す、フィルム基板ＦＢの一部を示す平面図、およびそのＹ−Ｙ′の位置に対応した断面図である。
【００５９】
この第２の方法では、図３（ａ）に示すように、フィルム搬送用フィルム孔３１が形成され、少なくとも片面全面が下地金属７で覆われたフィルム基材１を使用する。
第１工程
まず、図３（ｂ）に示すように、下地金属７の設けられたフィルム基材１の面上に第１のフォトレジスト６を形成する。
第２工程
続いて、図３（ｃ）に示すように、半導体素子１３を搭載する導体配線２３位置およびフィルム搬送用フィルム孔３１が形成された補強用導体部３３位置に、第１のフォトレジスト６に開口部を形成して下地金属７を一部露出する。
第３工程
次に、図３（ｄ）に示すように、金属めっきを施すことにより第１のフォトレジスト６の開口部に第１の導体配線２（半導体素子１３の導体配線２３）および第１の補強用導体３２を形成する。
第４工程
次に、図３（ｅ）に示すように、第２のフォトレジスト８を第１の導体配線２および第１の補強用導体３２が設けられたフィルム基板面に形成する。
第５工程
続いて、図３（ｆ）に示すように、フィルム基板上外部接続部４位置および半導体素子１３との接続部５位置、さらに補強用導体部３３位置に、フォトレジスト８に開口部を形成して第１の導体配線２の一部および第１の補強用導体３２を露出させる。
第６工程
次に、図３（ｇ）に示すように、金属めっきを施すことにより第２のフォトレジスト８の開口部における第１の導体配線２の一部上に第２の導体配線３を形成し、第１の補強用導体３２上に第２の補強用導体３４を形成する。
第７工程
次に、図３（ｈ）に示すように、第１のフォトレジスト６及び第２のフォトレジスト８を除去する。
第８工程
次に、図３（ｉ）に示すように、第１の導体配線２間の下地金属７をエッチングすることによって、各導体配線２，３を電気的に分離する。
【００６０】
以上の第２の製造方法によっても、フィルム基材１上の任意の箇所の導体配線厚を調整できるため、図１に示すフィルム基板ＦＢ、すなわち導体配線２３においてフィルム基板上外部接続部４および半導体素子１３との接続部（搭載部）５の導体配線厚を、折り曲げ部２５の導体配線厚よりも厚くしたフィルム基板ＦＢを容易に作製することができる。
【００６１】
また、導体配線厚が厚い半導体素子１３との接続部５の形成工程と、導体配線厚が厚い画像表示用フラットパネルとの外部接続部４の形成工程を、同一の形成工程とすることができ、工程を短縮化することができる。
【００６２】
また第１の補強用導体３２と第２の補強用導体３４から構成される、導体配線厚が厚い補強用導体部３３の形成工程と、導体配線厚が厚い画像表示用フラットパネルとのフィルム基板上外部接続部４の形成工程を、同一の形成工程とすることができ、工程を短縮化することができる。
【００６３】
尚、図示しないが、フィルム搬送用フィルム孔３１は、必ずしも第２の補強用導体３４形成前に形成されている必要はなく、第２の補強用導体３４形成後に形成されてもよい。
（第３の製造方法）
図４（ａ）〜（ｉ）は本発明におけるフィルム基板の製造方法（第３の方法）の製造工程を順に示す、フィルム基板ＦＢの一部を示す平面図、およびそのＸ−Ｘ′の位置に対応した断面図である。
【００６４】
この第３の方法では、図４（ａ）に示すように、フィルム搬送用フィルム孔３１が形成され、少なくとも片面全面が第１の導体９で覆われたフィルム基材１を使用する。
第１工程
まず、図４（ｂ）に示すように、第１の導体９の設けられたフィルム基材１の面上に第１のフォトレジスト６を形成する。
第２工程
続いて、図４（ｃ）に示すように、フィルム基板上外部接続部４位置および半導体素子１３との接続部５位置、さらにフィルム搬送用フィルム孔３１が形成された補強用導体部３３位置に、第１のフォトレジスト６に開口部を形成して第１の導体９の一部を露出させる。
第３工程
次に、図４（ｄ）に示すように、金属めっきを施すことにより第１のフォトレジスト６の開口部における第１の導体９上に第２の導体１０を形成する。
第４工程
次に、図４（ｅ）に示すように、第１のフォトレジスト６を除去する。
第５工程
次に、図４（ｆ）に示すように、第２の導体１０の設けられた面上に第２のフォトレジスト８を形成する。
第６工程
続いて、図４（ｇ）に示すように、半導体素子１３を接続する導体配線２３以外の位置および補強用導体部３３以外の位置に、第２のフォトレジスト８に開口部を形成する。
第７工程
次に、図４（ｈ）に示すように、第２のフォトレジスト８の開口部の第１の導体９及び第２の導体１０をエッチングすることにより導体配線を形成する。
第８工程
続いて、図４（ｉ）に示すように、第２のフォトレジスト８を除去する。残された第１の導体９が導体配線２３の第１の導体２に、第２の導体１０が導体配線２３の第２の導体３となる。また補強用導体部３３において、残された第１の導体９が第１の補強用導体３２に、第２の導体１０が第２の補強用導体３４となる。
【００６５】
以上の第３の製造方法によっても、フィルム基材１上の任意の箇所の導体配線厚を調整できるため、図１に示すフィルム基板ＦＢ、すなわち導体配線２３においてフィルム基板上外部接続部４および半導体素子１３との接続部（搭載部）５の導体配線厚を、折り曲げ部２５の導体配線厚よりも厚くしたフィルム基板ＦＢを容易に作製することができる。
【００６６】
また、導体配線厚が厚い半導体素子１３との接続部５の形成工程と、導体配線厚が厚い画像表示用フラットパネルとのフィルム基板上外部接続部４の形成工程を、同一の形成工程とすることができ、工程を短縮化することができる。
【００６７】
また第１の補強用導体３２と第２の補強用導体３４から構成される、導体配線厚が厚い補強用導体部３３の形成工程と、導体配線厚が厚い画像表示用フラットパネルとのフィルム基板上外部接続部４の形成工程を、同一の形成工程とすることができ、工程を短縮化することができる。
【００６８】
尚、図示しないが、フィルム搬送用フィルム孔３１は、必ずしも第２の補強用導体３４形成前に形成されている必要はなく、第２の補強用導体３４形成後に形成されてもよい。
さらに、以上の構造を有したフィルム基板、すなわち導体配線２３においてフィルム基板上外部接続部４および半導体素子１３との接続部（搭載部）５の導体配線厚を、折り曲げ部２５の導体配線厚よりも厚くしたフィルム基板ＦＢに、半導体素子１３を搭載し、画像表示用フラットパネル基板１６に実装したものは、外部接続部４は導体配線厚が厚いため、接合部におけるフィルム基材１と画像表示用フラットパネル基板１６の間隔を十分に確保できるため絶縁性を確保し、また折り曲げ部２５は導体配線厚が薄いため折り曲げ強度を確保した信頼性の高い画像表示装置を実現できる。
［他の実施の形態］
上記実施の形態では、図１に示すように、フィルム基板ＦＢの折り曲げ部２５（フィルム基材１に形成された導体配線部２３上で、画像表示用フラットパネル基板１６へ実装されるときに折り曲げられる折り曲げ部）が開放された状態となっているが、図５に示すように、このフィルム基板ＦＢの折り曲げ部２５上に、従来の技術と同様にソルダーレジスト（絶縁膜の一例）１１を形成し、折り曲げ部２５をソルダーレジスト１１で覆うようにすることもできる。このように、少なくとも折り曲げ部２５を、ソルダーレジスト１１で覆うことにより、折り曲げ部２５の強度をさらに向上することができる。
【００６９】
さらに図５に示すように、フィルム基板上外部接続部４において、第２の導体３が形成されている領域（導体配線厚が厚く形成されている領域）を、実際に外部に接続される外部接続領域２８（たとえば、画像表示用フラットパネル基板１６の電極１５あるいはプリント基板の電極２１が接続される領域）より大きく形成し、この外部接続領域２８以外の領域２９をソルダーレジスト（絶縁膜の一例）１１で覆うようにすることもできる。このように、外部接続領域２８以外の領域２９がソルダーレジスト（絶縁膜）１１で覆われていることにより、第２の導体３が形成されている領域（導体配線厚が厚く形成されている領域）の端部がソルダーレジスト（絶縁膜）１１で補強されているため、フィルム基板ＦＢの実装時またはその後に導体配線厚の変化部に集中する応力を緩和し、十分な強度を確保することができる。
【産業上の利用可能性】
【００７０】
本発明にかかるフィルム基板は、導体配線のピッチを縮小化させ、かつフィルム基板とパネル基板の接合部における間隔を十分確保することが可能となるため、配線密度が高く、薄型の目指す画像表示装置の分野において有用である。
【図面の簡単な説明】
【００７１】
【図１】本発明の実施の形態におけるフィルム基板の平面図、そのＸ−Ｘ’間の断面図、およびＹ−Ｙ’間の断面図である。
【図２】同フィルム基板の第１の製造方法の製造工程を説明するための図であり、（ａ）〜（ｅ）はフィルム基板の一部を示す平面図、およびそのＸ−Ｘ’間の断面図である。
【図３】同フィルム基板の第２の製造方法の製造工程を説明するための図であり、（ａ）〜（ｉ）はフィルム基板の一部を示す平面図、およびそのＹ−Ｙ’間の断面図である。
【図４】同フィルム基板の第３の製造方法の製造工程を説明するための図であり、（ａ）〜（ｉ）はフィルム基板の一部を示す平面図、およびそのＸ−Ｘ’間の断面図である。
【図５】本発明の他の実施の形態におけるフィルム基板の断面図である。
【図６】従来例のＣＯＦの一部を示す図であり、（ａ）は平面図、（ｂ）はＸ−Ｘ’間の断面図である。
【図７】画像表示用フラットパネルに接続されたフィルム基板の一部を表わす図であり、特に図６におけるＹ−Ｙ’間に対応した断面図である。
【図８】ＣＯＦが画像表示用フラットパネルに接続された状態を表わす断面図である。
【図９】図７において特に画像表示用フラットパネルの電極間短絡が発生した状態の断面図である。
【図１０】図８におけるＣＯＦの折り曲げ箇所である枠部Ａの拡大図である。
【符号の説明】
【００７２】
ＦＢ  フィルム基板
１    フィルム基材
２    第１の導体配線
３    第２の導体配線
４    フィルム基板上外部接続部（画像表示パネルとの接続部）
５    半導体素子との接続部
６    第１のフォトレジスト
７    下地金属
８    第２のフォトレジスト
９    第１の導体
１０  第２の導体
１１  ソルダーレジスト
１３  半導体素子
１５  画像表示パネルの電極
１６  画像表示用フラットパネル基板
１７  導電粒子
１８  絶縁樹脂
１９  ＡＣＦ
２０  プリント基板
２１  プリント基板の電極
２３  導体配線
２４  半導体素子の電極
２５  他の部品が接続されず折り曲げ可能な部分（折り曲げ部）
２７  曲率半径
２８  外部接続部の外部接続領域
２９  外部接続部の外部接続領域以外の領域
３１  フィルム搬送用フィルム孔
３２  導体（第１の補強用導体）
３３  補強用導体部
３４  第２の補強用導体
【図１】
2005252227.tif 000003
【図２】
2005252227.tif 000004
【図３】
2005252227.tif 000005
【図４】
2005252227.tif 000006
【図５】
2005252227.tif 000007
【図６】
2005252227.tif 000008
【図７】
2005252227.tif 000009
【図８】
2005252227.tif 000010
【図９】
2005252227.tif 000011
【図１０】
2005252227.tif 000012